(57)【要約】【課題】ＲＰＲリング内で実施される通信トラフィックの公平性保証を、リング間接続においても実施する。【解決手段】到着したパケットのＲＰＲ制御情報から公平性制御に用いる送信ウェイト制御情報と共に送信元アドレス、サービスクラス、フェアネスビット、リング転送方向の各情報を抽出し、フェアネスビットが“０”であるパケットをそのサービスクラス別に一時、出力キューに蓄積し、フェアネスビットが“１”であるパケットをその送信元およびリング転送方向別に送信ウェイト制御情報に基づき重み付けをして一時、出力キューに蓄積し、クラス別の出力キューからのパケットの読み出しを送信元およびリング転送方向別の出力キューからのパケット読み出しに優先して行う。【選択図】図２
2008244748.tif 000002
【特許請求の範囲】
【請求項１】
隣接するＲＰＲ(Resilient Packet Ring:IEEE802.17)リング相互間でパケットの転送を行うＲＰＲノード装置において、
到着したパケットのＲＰＲ制御情報から公平性制御に用いる送信ウェイト制御情報と共に送信元アドレス、サービスクラス、フェアネスビット、リング転送方向の各情報を抽出するＲＰＲ制御情報抽出手段と、
前記フェアネスビットが“０”であるパケットをそのサービスクラス別に一時蓄積するクラス別出力キューと、
前記フェアネスビットが“１”であるパケットをその送信元およびリング転送方向別に前記送信ウェイト制御情報に基づき重み付けをして一時蓄積する送信元およびリング転送方向別出力キューと、
前記クラス別出力キューからのパケットの読み出しを前記送信元およびリング転送方向別出力キューからのパケット読み出しに優先して行う手段と
を備えたことを特徴とするＲＰＲノード装置。
【請求項２】
隣接するＲＰＲリング相互間でパケットの転送を行うＲＰＲノード装置が行う公平性制御方法において、
到着したパケットのＲＰＲ制御情報から公平性制御に用いる送信ウェイト制御情報と共に送信元アドレス、サービスクラス、フェアネスビット、リング転送方向の各情報を抽出し、
前記フェアネスビットが“０”であるパケットをそのサービスクラス別に一時クラス別出力キューに蓄積し、
前記フェアネスビットが“１”であるパケットをその送信元およびリング転送方向別に前記送信ウェイト制御情報に基づき重み付けをして一時送信元およびリング転送方向別出力キューに蓄積し、
前記クラス別出力キューからのパケットの読み出しを前記送信元およびリング転送方向別出力キューからのパケット読み出しに優先して行う
ことを特徴とする公平性制御方法。
【請求項３】
請求項１記載のＲＰＲノード装置を備えたＲＰＲ通信システム。
【請求項４】
汎用の情報処理装置にインストールすることにより、その汎用の情報処理装置に、請求項１記載のＲＰＲノード装置の機能に相応する機能を実現させるプログラム。
【請求項５】
汎用の情報処理装置にインストールすることにより、その汎用の情報処理装置に、請求項２記載の公平性制御方法の手順に相応する手順を実行させるプログラム。
【発明の詳細な説明】
【技術分野】
【０００１】
本発明は、ＲＰＲ(Resilient Packet Ring:IEEE802.17)等のパケットリングネットワークを複数リング接続する通信ネットワークに利用する。特に、パケット転送における公平性の制御技術に関する。
【背景技術】
【０００２】
従来のＲＰＲノード装置２５を図１５を参照して説明する。図１５において、ＲＰＲノード装置２５のＲＰＲリング間接続点３０に接続するＲＰＲポート５０はＲＰＲリング２６を転送されてＲＰＲリング間接続点３０へ出力する通信トラフィックをＲＰＲリングの中の転送順序に従って出力する。
【０００３】
ＲＰＲ規格では、リング間接続ポート２９にて実施する公平性制御については規定しておらず、一般的な実施方法としては、リング間接続ポート２９に対して１つの出力キュー２７と通信データ読出器２８とが配置される。
【０００４】
従来のＲＰＲノード装置３１に一般的なＢｒｉｄｇｅにおける出力制御機能を付加した構成を図１６を参照して説明する。図１６において、ＲＰＲリング間接続点３７に接続するリング間接続ポート３６は、ＲＰＲリング３２内の送信元ＲＰＲノード装置毎では無く、イーサネット（登録商標）規格に定義された優先度毎の優先度（ＣｏＳ）別振分器３８を用いた通信トラフィックの優先制御を行っている。
【０００５】
【特許文献１】特開２００１−１８６１８１号公報
【特許文献２】特開２００５−１５１５５８号公報
【特許文献３】特開２００５−２１０６０６号公報
【特許文献４】特開２００５−３２３２３０号公報
【特許文献５】特開２００６−２６２１６９号公報
【特許文献６】特開２００７−１３４６２号公報
【特許文献７】特開平１１−３２０７８号公報
【発明の開示】
【発明が解決しようとする課題】
【０００６】
従来技術における第一の課題は、ＲＰＲノード装置２５または３１に到着したデータ到着順序のまま、ＲＰＲリング間接続点３０または３７へ出力するため、ＲＰＲリング２６または３２の中で行っていた送信ノード装置毎あるいはサービスクラス毎のフェアネスビットを対象とした通信トラフィックの公平性制御ができないということである。
【０００７】
第二の課題は、ＲＰＲリング間接続点３０または３７において、ＲＰＲノード装置の送信元ではない公平性制御を実施するため、ＲＰＲ規格に定めるＲＰＲ送信元毎の公平性制御を実現できないということである。
【０００８】
すなわち、従来のＲＰＲリング型通信システムにおいては、単独のＲＰＲリング内にてのＲＰＲ送信元ノード装置毎のトラフィックの公平性制御を備えることにより、ＲＰＲリング内で通信輻輳が発生した際にも、各ＲＰＲノード装置がＲＰＲリングへ公平に通信トラフィックを出力し、特定のＲＰＲノード装置からの出力だけがＲＰＲリング内で転送されるような不公平な通信状態を回避する機能を備えている。
【０００９】
しかしながら、ＲＰＲの規格では、複数のＲＰＲリングを相互に接続した際の、上記通信トラフィックの公平性制御については何ら言及されておらず、通信ネットワークを大規模構成とするために、複数のＲＰＲリングを相互に接続してネットワーク規模拡張を行う際に、通信トラフィックの公平性が損なわれる難点があった。
【００１０】
本発明は、このような背景の下に行われたものであって、ＲＰＲリングシステムを複数リング接続する通信ネットワークにおいて、ＲＰＲリング内で実施される通信トラフィックの公平性保証を、リング間接続においても実施することができるＲＰＲノード装置および公平性制御方法およびＲＰＲ通信システムを提供することを目的とする。
【課題を解決するための手段】
【００１１】
本発明では、転送元のＲＰＲリングから到着したパケットから公平性制御を行うために必要となる各種パラメータ（例えば、送信元アドレス、サービスクラス（ＳＣ）、フェアネスビット（ＦＥ）、転送リング方向（ｒｉ））を抽出し、これらのパラメータに基づき、サービスクラス別あるいは送信元または転送リング方向別に出力キューを設け、この出力キューからサービスクラス別あるいは送信元または転送リング方向別に転送先のＲＰＲリング内にパケットの読み出しを行う。
【００１２】
このようにして、本発明では、ＲＰＲリング内を通信中の公平性制御を必要とするトラフィックをＲＰＲリング接続点においても公平性制御を行いつつ出力しているので、ＲＰＲリングが複数接続された通信ネットワークにおいても１つ１つのＲＰＲリングの中で実施されるトラフィック公平性と同様なトラフィック公平性を保ちつつ通信を行うことができる。
【００１３】
すなわち、本発明は、隣接するＲＰＲリング相互間でパケットの転送を行うＲＰＲノード装置であって、本発明の特徴とするところは、到着したパケットのＲＰＲ制御情報から公平性制御に用いる送信ウェイト制御情報と共に送信元アドレス、サービスクラス、フェアネスビット、リング転送方向の各情報を抽出するＲＰＲ制御情報抽出手段と、前記フェアネスビットが“０”であるパケットをそのサービスクラス別に一時蓄積するクラス別出力キューと、前記フェアネスビットが“１”であるパケットをその送信元およびリング転送方向別に前記送信ウェイト制御情報に基づき重み付けをして一時蓄積する送信元およびリング転送方向別出力キューと、前記クラス別出力キューからのパケットの読み出しを前記送信元およびリング転送方向別出力キューからのパケット読み出しに優先して行う手段とを備えたところにある。
【００１４】
また、本発明を公平性制御方法としての観点から観ることもできる。すなわち、本発明は、隣接するＲＰＲリング相互間でパケットの転送を行うＲＰＲノード装置が行う公平性制御方法であって、本発明の特徴とするところは、到着したパケットのＲＰＲ制御情報から公平性制御に用いる送信ウェイト制御情報と共に送信元アドレス、サービスクラス、フェアネスビット、リング転送方向の各情報を抽出し、前記フェアネスビットが“０”であるパケットをそのサービスクラス別に一時クラス別出力キューに蓄積し、前記フェアネスビットが“１”であるパケットをその送信元およびリング転送方向別に前記送信ウェイト制御情報に基づき重み付けをして一時送信元およびリング転送方向別出力キューに蓄積し、前記クラス別出力キューからのパケットの読み出しを前記送信元およびリング転送方向別出力キューからのパケット読み出しに優先して行うところにある。
【００１５】
また、本発明をＲＰＲ通信システムとしての観点から観ることもできる。すなわち、本発明は、本発明のＲＰＲノード装置を備えたＲＰＲ通信システムである。
【００１６】
また、本発明をプログラムの観点から観ることもできる。すなわち、本発明は、汎用の情報処理装置にインストールすることにより、その汎用の情報処理装置に、本発明のＲＰＲノード装置の機能に相応する機能を実現させるプログラムである。あるいは、本発明は、汎用の情報処理装置にインストールすることにより、その汎用の情報処理装置に、本発明の公平性制御方法の手順に相応する手順を実行させるプログラムである。
【００１７】
本発明のプログラムは記録媒体に記録されることにより、前記汎用の情報処理装置は、この記録媒体を用いて本発明のプログラムをインストールすることができる。あるいは、本発明のプログラムを保持するサーバからネットワークを介して直接前記汎用の情報処理装置に本発明のプログラムをインストールすることもできる。
【００１８】
これにより、汎用の情報処理装置を用いて、本発明のＲＰＲノード装置の機能に相応する機能を実現させ、本発明の公平性制御方法の手順に相応する手順を実行させることができる。
【００１９】
なお、本発明のプログラムは、汎用の情報処理装置によって直接実行可能なものだけでなく、ハードディスクなどにインストールすることによって実行可能となるものも含む。また、圧縮されたり、暗号化されたりしたものも含む。
【発明の効果】
【００２０】
本発明においては、以下のような効果を奏する。
【００２１】
第一の効果は、ＲＰＲリング間接続点に位置するＲＰＲノード装置にてＲＰＲ規格に定める公平性対象のデータトラフィックについて公平性制御をしているので、複数のＲＰＲリングを接続したネットワークにてＲＰＲリング間接続点でもＲＰＲリング内と同様な公平性制御ができることである。
【００２２】
第二の効果は、ＲＰＲリング間接続点に位置するＲＰＲノード装置においてのみ公平性制御機能を設けているので、単独のＲＰＲリングの中に定義されている制御方式を改変すること無くトラフィックの公平性制御を実現できることである。
【発明を実施するための最良の形態】
【００２３】
本発明の実施例を図１ないし図１３を参照して説明する。図１を参照すると、本発明の一実施例としての通信ネットワーク構成が示されている。図１においてＲＰＲノード装置１〜４はＲＰＲリング９を構成する。また、ＲＰＲノード装置５〜８がＲＰＲリング１０を構成する。これらのＲＰＲリング９および１０がリング接続点１１を用いて相互に通信を行う。
【００２４】
本実施例は、図１におけるリング接続点１１を収容するＲＰＲノード装置４または６に相応するＲＰＲノード装置の実施例である。図２に、図１に示すリング接続点１１を収容するＲＰＲノード装置４または６に相応するＲＰＲノード装置１２の構成を示す。
【００２５】
図２において、ＲＰＲノード装置１２内には、ＲＰＲリング１３からの通信トラフィックでＲＰＲリング１３から別のネットワークへ送信するパケットがＲＰＲ制御情報抽出器２３に到着する。
【００２６】
図３はＲＰＲコントロールフレームの構成図であるが、ＲＰＲ制御情報抽出器２３は、ＲＰＲリング１３内を転送されるＲＰＲコントロールフレーム１２５から、ＲＰＲリング１３内の各ＲＰＲノード装置の公平性制御のための送信ウェイト設定情報を抽出し、ＲＰＲ送信元アドレス／ｒｉ送信キュー送信ウェイト対応テーブルおよび送信ウェイト設定手段２４（以下、設定手段２４という）に通知する。
【００２７】
設定手段２４は、ＲＰＲ制御情報抽出器２３から通知されたウェイト情報を元に、送信元／ｒｉ別出力キュー１７（以下、出力キュー１７という）の送信ウェイトを設定する。
【００２８】
さらに、ＲＰＲ制御情報抽出器２３から出力されたパケットはＲＰＲ送信元アドレスおよびＳＣ／ＦＥ／ｒｉ抽出器１４（以下、抽出器１４という）に出力する。
【００２９】
なお、ＲＰＲコントロールフレーム１２５のヘッダにおけるｔｔｌ、ｂａｓｅＣｏｎｔｒｏｌ、ｄａの各フィールド情報の一例を図４に示し、ペイロードにおけるｃｏｎｔｒｏｌＴｙｐｅフィールド情報の一例を図５に示し、ペイロードにおけるｃｏｎｔｒｏｌＤａｔａＵｎｉｔのフィールド情報の一例を図６に示し、ｃｏｎｔｒｏｌＤａｔａＵｎｉｔのｔｙｐｅＬｅｎｇｔｈＶａｌｕｅのフィールド情報の一例を図７に示し、ｔｙｐｅＬｅｎｇｔｈＶａｌｕｅのｔｙｐｅの定義値を図８に示し、ｃｏｎｔｒｏｌＤａｔａＵｎｉｔのａｔｔＤａｔａＵｎｉｔのフィールド情報の一例を図９に示す。図９の例が送信ウェイト情報である。
【００３０】
さらに、抽出器１４は、クラス別送信元／ｒｉ別振分器１５（以下、振分器１５という）にパケットを出力する。振分器１５は、Ａ０／Ａ１／Ｂ出力キュー１６（以下、出力キュー１６という）および出力キュー１７に出力する。
【００３１】
このときに、抽出器１４は、図１０に示すＲＰＲデータフレーム１２８のヘッダから送信元アドレス（ｓａ）１２９を抽出し、さらに、ｂａｓｅＣｏｎｔｏｌの図１１に示すＳＣ／ＦＥ／ｒｉフィールド１３０からサービスクラス（ＳＣ）、フェアネスビット（ＦＥ）、転送リング方向（ｒｉ）を抽出する。なお、転送リング方向（ｒｉ）の値の例を図１２に示す。
【００３２】
振分器１５は、抽出器１４により抽出されたサービスクラス、送信元、転送リング方向に基づきパケットの振り分けを行う。
【００３３】
出力キュー１６に入力されたトラフィックはクラスＡ０／Ａ１／Ｂ読出器２０（以下、読出器２０という）を用いて出力タイミングを図ってリング間接続ポート２１を介してＲＰＲリング間接続点２２から出力し、出力キュー１７に入力されたトラフィックは、重み付け配分器１８により出力量をキュー毎に重み付けした上でクラスＦＥ読出器１９を用いて出力タイミングを図ってリング間接続ポート２１を介してＲＰＲリング間接続点２２から出力する。
【００３４】
このように、本発明はＲＰＲプロトコルに用いられる制御情報およびフレームヘッダ情報を用いて、ＲＰＲ規格の機能を拡張し、リング間接続インタフェース内でもＲＰＲ規格に定義される送信ＲＰＲノード装置毎の通信データの公平性制御を実現する。
【００３５】
以上詳細に実施例の構成を述べたが、図１のＲＰＲリング９および１０でのトラフィック転送方式と、単独のＲＰＲリング内での公平性制御方式は、当業者にとってよく知られており、また、本発明とは直接関係しないので、その詳細な説明は省略する。
【００３６】
なお、上記実施例では、ＲＰＲリング９とＲＰＲリング１０との接続箇所はリング接続点１１単独での接続であるが、ＲＰＲノード装置４とＲＰＲノード装置６との間に複数の接続点を設けてもよい。また、ＲＰＲノード装置４とＲＰＲノード装置６との間の接続に限らず、ＲＰＲノード装置１とＲＰＲノード装置５との間を接続する構成や、ＲＰＲノード装置３とＲＰＲノード装置７との間を接続する構成のような、複数のリング接続点を設ける構成としてもよい。
【００３７】
また、出力キュー１６と出力キュー１７については、物理的に分離した別々の送信キュー構成とせずに、ただ一つの物理キューを持ち、仮想出力キューを用いて出力制御を行う方法でも構成できる。
【００３８】
次に、トラフィック公平性制御の動作を説明する。図１に示すＲＰＲリング９または１０内の各ＲＰＲノード装置１〜４または５〜８は自身に設定された送信ウェイト情報をＲＰＲコントロールフレーム１２５に記してお互いに交換する。
【００３９】
ＲＰＲコントロールフレーム１２５を受信したＲＰＲリング間を接続するＲＰＲノード装置１２は、ＲＰＲ制御情報抽出器２３にて、ＲＰＲコントロールフレーム１２５内の各ＲＰＲノード装置の送信ウェイト情報１２７を抽出し、また、そのＲＰＲノード装置のアドレスをＲＰＲコントロールフレーム１２５内の送信元アドレス（ｓａ）１２６から抽出し、設定手段２４に通知する。
【００４０】
設定手段２４は受け取った情報を直ちに出力キュー１７の送信ウェイト情報に反映し、各ＲＰＲノード装置に設定された重み情報を公平性制御に用いる。
【００４１】
データフレーム転送時、リング間接続点のＲＰＲノード装置１２は、抽出器１４にて、ＲＰＲデータフレームのオーバヘッドからＲＰＲ送信元アドレス／ｒｉ情報およびＳＣ／ＦＥ情報を抽出し、公平性制御対象のＳＣ／ＦＥであるトラフィックならば、振分器１５を用いて該当する送信元毎に転送リング方向（ｒｉ）毎の出力キュー１７へ出力する。
【００４２】
その後、出力キュー１７、重み付け配分器１８、クラスＦＥ読出器１９の制御にて公平性ウェイト比に従ったフレーム送信が実施される。
【００４３】
また、振分器１５は送信元ＲＰＲノード装置情報と、サービスクラスの情報と、フェアネスビットの情報を元にして、通信データがクラスＡ０／Ａ１／Ｂで且つフェアネスビットが“０”で公平性制御対象外の場合に、出力キュー１６に出力する。読出器２０は、出力キュー１６にキューイングされた通信データをリング間接続ポート２１を介してＲＰＲリング間接続点２２へ出力する。
【００４４】
この際、クラスＦＥ読出器１９は、リング間接続ポート２１にクラスＡ０／Ａ１／Ｂ読出器２０が通信データを出力していないタイミングで通信データを出力する。
【００４５】
以上の動作を図１３のフローチャートに示した。ＲＰＲノード装置１２にパケットが到着すると（Ｓ１）、ＲＰＲ制御情報抽出器２３および抽出器１４により各情報（送信ウェイト制御情報、送信元アドレス（ｓａ）、サービスクラス（ＳＣ）、フェアネスビット（ＦＥ）、リング転送方向（ｒｉ））が抽出され（Ｓ２）、フェアネスビット（ＦＥ）が“１”であれば（Ｓ３）、送信ウェイト制御情報に基づき重み付けして出力キュー１７に一時蓄積し（Ｓ４）、フェアネスビット（ＦＥ）が“０”であれば（Ｓ３）、サービスクラス別に出力キュー１６に一時蓄積し（Ｓ８）、まず、サービスクラス別に出力キュー１６に一時蓄積されたパケットを読み出し（Ｓ５）、帯域に余裕があれば（Ｓ６）、出力キュー１７からのパケットを読み出す（Ｓ７）。
【００４６】
（その他の実施例）
本発明の他の実施例として、その基本的構成は上記のとおりであるが、出力キューについてさらに工夫している。その構成を図１４に示す。図１４において、出力キュー４２は全ての通信データを蓄積する構成を変更し、キューの総量を削減している。図１４において、ＲＰＲノード装置３９は、ＲＰＲリング４０からの通信トラフィックでＲＰＲリング４０から別のネットワークへ送信するトラフィックが入力されると、そのトラフィックをＲＰＲ送信元アドレスおよびＳＣ／ＦＥ／ｒｉ抽出器４１（以下、抽出器４１という）に出力する。
【００４７】
抽出器４１は、ＲＰＲリング４０の中を転送して来る際にＲＰＲヘッダに付与されて来た送信元のＲＰＲノード装置を識別できるＲＰＲアドレスと、同じくＲＰＲリングの中を転送して来る際にＲＰＲヘッダに付与されていたサービスクラスの情報と、公平性制御の対象か否かを示すフェアネスビットの情報を抽出し、通信データは出力キュー４２に全て蓄積すると共に、クラスＡ０／Ａ１／Ｂ読出器４４に通信データのＲＰＲ送信元アドレスおよびサービスクラスおよびフェアネス情報を送付する。
【００４８】
クラスＡ０／Ａ１／Ｂ読出器４４は、出力キュー４２に蓄積された通信データの中から、ＲＰＲのＡ０／Ａ１／Ｂの通信データをリング間接続ポート４５を介してＲＰＲリング間接続点４６に出力する。
【００４９】
ＲＰＲのフェアネス対象に識別された通信データは、重み付け配分器４３にて、ＲＰＲ送信元ノード装置毎に設定した重みＷ１、Ｗ２、Ｗ３、Ｗｉ（ｉは送信元ノード装置数分まで存在）に配分した読出量の通信データを通信量の重み付け処理をした上で、通信可能な分をリング間接続ポート４５を介してＲＰＲリング間接続点４６に出力する。
【００５０】
このように、本実施例では、クラスＡ０／Ａ１／Ｂ読出器４４と、重み付け配分器４３とで公平性対象となるトラフィックの重み付けを行いながら出力キュー４２からの読み出し操作を行うので、出力キュー４２の総量を図２の出力キュー１７に比較して削減するという効果が得られる。
【００５１】
本構成において、出力キュー４２を、Ａ０／Ａ１／ＢクラスキューとＦＥクラス出力キューの２つ備え、送信キューの物理的な構成を変更して出力制御を行う方法で構成してもよい。
【産業上の利用可能性】
【００５２】
本発明によれば、複数のＲＰＲリングを接続したネットワークにてＲＰＲリング間接続点でもＲＰＲリング内と同様な公平性制御ができる。また、単独のＲＰＲリングの中に定義されている制御方式を改変すること無くトラフィックの公平性制御を実現できる。これにより、ユーザに提供するサービス品質の向上に利用することができる。
【図面の簡単な説明】
【００５３】
【図１】通信ネットワークの構成例を示す図。
【図２】リング接続点を収容するＲＰＲノード装置の構成図。
【図３】ＲＰＲコントロールフレームの構成図。
【図４】ｔｔｌ、ｂａｓｅＣｏｎｔｒｏｌ、ｄａの各フィールド情報の一例を示す図。
【図５】ｃｏｎｔｒｏｌＴｙｐｅフィールド情報の一例を示す図。
【図６】ｃｏｎｔｒｏｌＤａｔａＵｎｉｔのフィールド情報の一例を示す図。
【図７】ｃｏｎｔｒｏｌＤａｔａＵｎｉｔのｔｙｐｅＬｅｎｇｔｈＶａｌｕｅのフィールド情報の一例を示す図。
【図８】ｔｙｐｅＬｅｎｇｔｈＶａｌｕｅのｔｙｐｅの定義値を示す図。
【図９】ｃｏｎｔｒｏｌＤａｔａＵｎｉｔのａｔｔＤａｔａＵｎｉｔのフィールド情報の一例を示す図。
【図１０】ＲＰＲデータフレームの構成を示す図。
【図１１】ｂａｓｅＣｏｎｔｏｌのＳＣ／ＦＥ／ｒｉフィールド情報の一例を示す図。
【図１２】転送リング方向（ｒｉ）の値の例を示す図。
【図１３】公平性制御動作の手順を示すフローチャート。
【図１４】その他の実施例のＲＰＲノード装置の構成図。
【図１５】従来のＲＰＲノード装置の構成図。
【図１６】従来の一般的なＢｒｉｄｇｅの出力制御を用いたＲＰＲノード装置の構成図。
【符号の説明】
【００５４】
１〜８、１２、２５、３１、３９  ＲＰＲノード装置
１１  リング接続点
９、１０、１３、２６、３２、４０  ＲＰＲリング
１４、４１  ＲＰＲ送信元アドレスおよびＳＣ／ＦＥ／ｒｉ抽出器
１５  クラス別送信元／ｒｉ別振分器
１６  Ａ０／Ａ１／Ｂ出力キュー
１７  送信元／ｒｉ別出力キュー
１８、３４、４３  重み付け配分器
１９  クラスＦＥ読出器
２０、４４  クラスＡ０／Ａ１／Ｂ読出器
２１、２９、３６、４５  リング間接続ポート
２２、３０、３７、４６  ＲＰＲリング間接続点
２３  ＲＰＲ制御情報抽出器
２４  ＲＰＲ送信元アドレス／ｒｉ送信キュー送信ウェイト対応テーブルおよび送信ウェイト設定手段
２７、４２  出力キュー
２８、３５  通信データ読出器
３３  優先度別出力キュー
３８  優先度（ＣｏＳ）別振分器
５０  ＲＰＲポート
１２５  ＲＰＲコントロールフレーム
１２６、１２９  送信元アドレス
１２７  送信ウェイト情報
１２８  ＲＰＲデータフレーム
１３０  ＳＣ／ＦＥ／ｒｉフィールド
【図１】
2008244748.tif 000003
【図２】
2008244748.tif 000004
【図３】
2008244748.tif 000005
【図４】
2008244748.tif 000006
【図５】
2008244748.tif 000007
【図６】
2008244748.tif 000008
【図７】
2008244748.tif 000009
【図８】
2008244748.tif 000010
【図９】
2008244748.tif 000011
【図１０】
2008244748.tif 000012
【図１１】
2008244748.tif 000013
【図１２】
2008244748.tif 000014
【図１３】
2008244748.tif 000015
【図１４】
2008244748.tif 000016
【図１５】
2008244748.tif 000017
【図１６】
2008244748.tif 000018